(57)【要約】【課題】安定した絶縁基板の凸形状の反りを実現できるとともに、冷却部材と絶縁基板との密着性を確保でき、高い信頼性を有する半導体装置を提供する。【解決手段】半導体装置は、絶縁基板１と、絶縁基板１の第１の面上に配置された半導体素子３と、半導体素子を内側に収容するように絶縁基板１と接続されたケース５１と、ケース５１の内側に半導体素子を埋め込むように充填された樹脂６とを備え、絶縁基板１の厚みをｔ１、樹脂６の厚みをｔ２、絶縁基板１の線膨張係数をα１、樹脂の線膨張係数をα２とした場合に、ｔ２≧ｔ１、およびα２≧α１、という関係式を満足し、絶縁基板１は第１の面と反対側の第２の面が凸形状となるように反っている。【選択図】図１
2020115568.tif 000002
【特許請求の範囲】
【請求項１】
絶縁基板と、
前記絶縁基板の第１の面上に配置された半導体素子と、
前記半導体素子を内側に収容するように前記絶縁基板と接続されたケースと、
前記ケースの内側に前記半導体素子を埋め込むように充填された樹脂とを備え、
前記絶縁基板の厚みをｔ１、前記樹脂の厚みをｔ２、前記絶縁基板の線膨張係数をα１、前記樹脂の線膨張係数をα２とした場合に、
ｔ２≧ｔ１、および
α２≧α１、という関係式を満足し、
前記絶縁基板は前記第１の面と反対側の第２の面が凸形状となるように反っており、
前記ケースは、平面視において前記絶縁基板の外縁と重なる部分を有し、
前記重なる部分と前記第１の面の前記外縁とが接着剤により接続され、
前記接着剤は、前記第１の面の前記外縁の端までが前記重なる部分と接続されるように設けられており、
前記ケースは、前記重なる部分から前記外縁より外側に延在する部分を有し、
前記延在する部分は、第１高さを有する第１部分と、前記第１部分より外側に位置し、前記第１高さより低い第２高さを有する第２部分とを含み、
前記延在する部分を半導体装置の外部に位置する外部部材と固定する固定部材をさらに備え、
前記外部部材と前記第２の面との間に放熱グリースが挟まれ、
前記放熱グリースは、平面視において前記絶縁基板の中心部から前記重なる部分にまで設けられ、かつ、前記第２の面の前記外縁の端から前記中心部の方向に後退して設けられ、
前記重なる部分には、前記外縁を収容する段差部が形成されており、
前記段差部の深さは、前記絶縁基板の厚みと、前記外縁を前記段差部により押圧していない状態における前記絶縁基板の反り量との合計値より小さく、前記絶縁基板の厚みより大きい、半導体装置。
【請求項２】
前記ケースは、前記重なる部分と前記外部部材との間に前記外縁を挟んだ状態で前記固定部材を用いて前記外部部材に固定されることにより、弾性変形している、請求項１に記載の半導体装置。
【請求項３】
前記重なる部分で、平面視において前記接着剤と前記放熱グリースとが重なりを有する、請求項１もしくは請求項２に記載の半導体装置。
【請求項４】
絶縁基板の第１の面上に半導体素子を配置するとともに、前記半導体素子を内部に収容するように前記絶縁基板と接続されたケースを準備する工程と、
前記ケースの内部に前記半導体素子を埋め込むように樹脂を充填する工程とを備え、
前記絶縁基板の厚みをｔ１、前記樹脂の厚みをｔ２、前記絶縁基板の線膨張係数をα１、前記樹脂の線膨張係数をα２とした場合に、
ｔ２≧ｔ１、および
α２≧α１、という関係式を満足し、
前記樹脂を充填する工程の後、前記第１の面と反対側の第２の面が凸形状となるように反っており、
前記準備する工程において、前記ケースは、平面視において前記絶縁基板の外縁と重なる部分と、前記重なる部分から前記外縁より外側に延在する部分とを有し、
前記延在する部分は、第１高さを有する第１部分と、前記第１部分より外側に位置し、前記第１高さより低い第２高さを有する第２部分とを含み、
前記準備する工程において、前記重なる部分と前記外縁の端を含む前記第１の面の前記外縁とが接着剤により接続され、
前記樹脂を充填する工程の後、前記絶縁基板の前記第２の面を半導体装置の外部に位置する外部部材に接続する工程をさらに備え、
前記接続する工程では、放熱グリースを前記外部部材と前記第２の面との間に、平面視において前記絶縁基板の中心部から前記重なる部分にまで、かつ、前記第２の面の前記外縁の端から前記中心部の方向に後退させるように設け、固定部材を用いて前記延在する部分を前記外部部材に固定し、
前記重なる部分には、前記外縁を収容する段差部が形成され、
前記段差部の深さは、前記絶縁基板の厚みと、前記外縁を前記段差部により押圧していない状態における前記絶縁基板の反り量との合計値より小さく、前記絶縁基板の厚みより大きくなるようにする、半導体装置の製造方法。
【請求項５】
前記接続する工程において、前記ケースは、前記重なる部分と前記外部部材との間に前記外縁を挟んだ状態で前記固定部材を用いて前記外部部材に固定されることにより、弾性変形する、請求項４に記載の半導体装置の製造方法。
【請求項６】
前記重なる部分で、平面視において前記接着剤と前記放熱グリースとが重なりを有するようにする、請求項４もしくは請求項５に記載の半導体装置の製造方法。
【発明の詳細な説明】
【技術分野】
【０００１】
この発明は、半導体装置およびその製造方法に関し、より特定的には、半導体素子が配置された絶縁基板を外部に接続する半導体装置およびその製造方法に関する。
【背景技術】
【０００２】
従来、発電・送電から効率的なエネルギーの利用・再生まであらゆる場面で利用される半導体装置が知られている。このような半導体装置として、半導体素子が配置された絶縁基板を冷却部材に接続した構成を有するものがある。また、当該半導体装置においては、半導体素子を内部に配置するようにケースが配置されるとともに、当該ケースの内部に樹脂が充填される場合がある。
【０００３】
このような半導体装置の生産性と信頼性向上のため、たとえばフィラーを分散させたエポキシ封止樹脂をケースに注入するダイレクトポッティング封止技術が普及しつつある。また、このような半導体装置では、絶縁基板の冷却部材に対する密着性の確保が課題となっている。
【０００４】
たとえば、特開２０００−２００８６５号公報では、あらかじめ下に凸のそりを与えた絶縁基板を用い、半導体素子をアセンブリしてモジュール化し、冷却部材に対して当該モジュールをネジ固定することで絶縁基板と冷却部材との間に放熱グリスを均一に広げ、密着性を確保することが開示されている。
【０００５】
また、特開平８−２３６６６７号公報では、半導体素子が設置された絶縁基板の外縁より内側を押圧して下向きに凸形状の反りを生じさせることにより冷却部材へ絶縁基板を押し付け、当該絶縁基板と冷却部材との密着性を高めることが開示されている。
【先行技術文献】
【特許文献】
【０００６】
【特許文献１】特開２０００−２００８６５号公報
【特許文献２】特開平８−２３６６６７号公報
【発明の概要】
【発明が解決しようとする課題】
【０００７】
ここで、半導体装置としては、高電圧・大電流を扱うパワー半導体素子を用いたものが知られており、接合部の抵抗によるジュール熱や変換ロスによる発熱を外部に効率よく排出する機能が求められる。輸送機器やＦＡなどの産業用で一般に用いられるケース型半導体装置（ケースの内部に半導体素子を収納した構成の半導体装置）では、底面の絶縁基板を冷却部材に対して熱伝導させるために放熱グリスを用いるのが通常である。このグリスを十分に広げることや、グリス中に空気をかみ込むことによってできる空隙（ボイド）発生を抑制することが、効率的な放熱を長期的に実現するうえで重要となる。そのためには半導体装置の底面に露出する絶縁基板やヒートシンクのそりをコントロールすることが重要であり、冷却器を固定するためのネジ締めによるケースなどの変形も考慮する必要がある。
【０００８】
また、ケース内部のパワー半導体素子や配線を絶縁封止するために、信頼性を向上させる目的で上述したようにダイレクトポッティング封止樹脂の適用が進んでいる。ダイレクトポッティング封止樹脂は、エポキシ樹脂にシリカなどのフィラーを分散させた液状樹脂を、ケース内部に注入したのちに加熱硬化させる封止樹脂である。このようなダイレクトポッティング封止樹脂を用いれば、トランスファモールどのような金型が不要である。しかし、上記ダイレクトポッティング封止樹脂はゲルに比較すると弾性係数が高く、硬化収縮による半導体装置の変形も大きいため、上述のような絶縁基板の反りのコントロールのためには新しい概念を適用する必要がある。
【０００９】
しかし、上記特開２０００−２００８６５号公報に開示された技術では、反った絶縁基板に対してパワー半導体素子などの半導体素子をダイボンドしたり配線のためのワイヤボンドを行う必要がある。この場合、位置決めや接合条件の安定化が困難であるため、このような作業の作業性は平坦な絶縁基板を用いる場合の作業性よりも劣るとともに、歩留および生産性の低下や信頼性の低下の要因となると考えられる。また、絶縁基板を冷却部材へ固定するためのネジ固定時に、ネジ締め部で絶縁基板が冷却部材に対して密着すると、絶縁基板が逆ぞりしようとするために空気をかみ込む可能性があった。
【００１０】
また、上記特開平８−２３６６６７号公報に開示された技術では、ベースとなる金属製の放熱部材と絶縁基板との線膨張差の吸収について考慮しているが、絶縁封止用の樹脂との関係について特に考慮していない。このため、絶縁基板において安定した凸形状の反りを与えて管理することが難しい。すなわち、冷却部材への絶縁基板の密着性を確実に高めることが難しく、さらに半導体装置の製造工程における生産性や歩留の点でも問題があった。
【００１１】
この発明は、上記のような課題を解決するために成されたものであり、この発明の目的は、安定した絶縁基板の凸形状の反りを実現できるとともに、冷却部材など半導体装置の外部に位置する外部部材と絶縁基板との密着性を確保でき、高い信頼性を有する半導体装置およびその製造方法を得ることを目的とする。
【課題を解決するための手段】
【００１２】
この発明の１実施形態に係る半導体装置は、絶縁基板と、絶縁基板の第１の面上に配置された半導体素子と、半導体素子を内側に収容するように絶縁基板と接続されたケースと、ケースの内側に半導体素子を埋め込むように充填された樹脂とを備え、絶縁基板の厚みをｔ１、樹脂の厚みをｔ２、絶縁基板の線膨張係数をα１、樹脂の線膨張係数をα２とした場合に、ｔ２≧ｔ１、およびα２≧α１、という関係式を満足し、絶縁基板は第２の面が凸形状となるように反っている。
【発明の効果】
【００１３】
上記によれば、半導体装置において安定した絶縁基板の凸形状の反りを実現できるとともに、冷却部材と絶縁基板との密着性を確保でき、高い信頼性を有する半導体装置を得ることができる。
【図面の簡単な説明】
【００１４】
【図１】本発明の実施の形態１による半導体装置の断面模式図である。
【図２】図１に示した半導体装置の上面図である。
【図３】図１に示した半導体装置の製造方法を説明するためのフローチャートである。
【図４】図３に示した半導体装置の製造方法を説明するための断面模式図である。
【図５】図３に示した半導体装置の製造方法を説明するための断面模式図である。
【図６】図３に示した半導体装置の製造方法を説明するための断面模式図である。
【図７】図１に示した半導体装置の変形例を示す断面模式図である。
【図８】図１に示した半導体装置の変形例を示す断面模式図である。
【図９】本発明の実施の形態２による半導体装置の断面模式図である。
【図１０】図９に示した半導体装置の変形例を示す断面模式図である。
【発明を実施するための形態】
【００１５】
以下、添付の図面を用いて、本発明の実施の一形態を説明する。なお、以下の図面において相当する部分には同一の参照番号を付し、その説明は繰り返さない。
【００１６】
（実施の形態１）
図１は本発明の実施の形態１による半導体装置の断面模式図である。図２は図１に示した半導体装置の上面図であり、説明のためダイレクトポッティング封止樹脂（ダイレクトポッティングにより形成された封止樹脂、以下単に封止樹脂とも呼ぶ）の表示を省略している。
【００１７】
＜半導体装置の構成＞
図１および図２を参照して、半導体装置は、絶縁基板１（以下、基板１とも呼ぶ）と、半導体素子としてのパワー半導体素子３と、ケース５１と、ケース５１内に充填されている樹脂としてのダイレクトポッティング封止樹脂６（以下、単に封止樹脂６とも呼ぶ）とを主に備える。半導体装置はさらに、半導体装置の外部に位置する外部部材の一例である冷却部材としての冷却器５４にケース５１を固定する固定部材としてのネジ５２を備える。絶縁基板１の厚みをｔ１、ダイレクトポッティング封止樹脂６の厚みをｔ２、絶縁基板１の線膨張係数をα１、ダイレクトポッティング封止樹脂６の線膨張係数をα２とした場合に、半導体装置はｔ２≧ｔ１、およびα２≧α１、という関係式を満足する。絶縁基板１は、パワー半導体素子３が配置された第１の面と反対側の第２の面が凸形状となるように反っている。
【００１８】
絶縁基板１のサイズは、たとえば縦：７０ｍｍ×横：７０ｍｍ×厚さ：３ｍｍである。絶縁基板１は、銅基材１３上にエポキシ絶縁層１２および銅配線１１が形成された多層構造を有している。このような多層構造の絶縁基板１における線膨張係数については、各層の材質に応じた線膨張係数を体積比などで比例配分して決定することができるし、実際に多層構造の絶縁基板１について線膨張係数を実験的に測定してもよい。絶縁基板１の第１の面である表面上にパワー半導体素子３が配置されている。パワー半導体素子３としては、たとえばサイズが縦：１５ｍｍ×横：１５ｍｍ×厚さ：０．３ｍｍのＩＧＢＴおよびサイズが縦：１２ｍｍ×横：１５ｍｍ×厚さ：０．３ｍｍのダイオードを用いることができる。
【００１９】
パワー半導体素子３は、はんだ（たとえばＳｎ−Ａｇ−Ｃｕはんだを用いることができ、当該はんだの融点は２１７℃である）によって絶縁基板１の銅配線１１上にダイボンディングされている。パワー半導体素子３は、ワイヤボンディングにより形成された配線４１（たとえば主回路側の配線φ０．４ｍｍのアルミニウム製配線）によって、ケース５１の外部信号端子４２および外部主端子４３との間において電気回路を形成している。なお、外部主端子４３には開口部が形成されており、当該開口部下にはナット４４が配置されている。ここで、ケース５１としては、平面形状がたとえば四角形状である樹脂製のケースを用いることができ、具体的にはサイズが縦：１２０ｍｍ×横：８０ｍｍ×高さ：２０ｍｍであり、ポリフェニレンサルファイド（ＰＰＳ）樹脂製であって平面形状が四角形状の枠体をケース５１として用いることができる。ケース５１は、絶縁基板１の外周を囲むように配置されている。ケース５１の外周部には、外側に突出するスリーブ部５３が形成されている。
【００２０】
ケース５１と絶縁基板１とにより囲まれた領域（ケース５１の内側の領域）には、パワー半導体素子３と配線４１を絶縁封止するダイレクトポッティング封止樹脂６が注型されている。ダイレクトポッティング封止樹脂６としては、たとえばエポキシ樹脂にシリカフィラーを分散させた樹脂を用いることができる。ケース５１のスリーブ部５３にはネジ５２を通すための貫通穴が形成されている。ネジ５２により、ケース５１は冷却器５４に対して固定されている。冷却器５４としては、たとえばサイズが縦：１２０ｍｍ×横：８０ｍｍ×高さ：２０ｍｍであって、絶縁基板１と接触する上部平坦部と、当該上部平坦部から絶縁基板１と接触する側とは反対側に突出する複数のフィン部とを含む冷却器５４を用いることができる。当該冷却器５４の材料としては、任意の材料を用いることができるがたとえばアルミニウム（より具体的にはアルミ鋳造製）とすることができる。絶縁基板１と冷却器５４との間には放熱グリス７が供給されている。放熱グリス７としては、たとえばシリコーン樹脂にシリカフィラーが分散したものを用いることができる。
【００２１】
絶縁基板１は、冷却器５４に対向する側の第２の面が凸形状となるように反った状態になっている。また、ケース５１の内周側の底部には、絶縁基板１の外縁を保持するための段差部５１１が形成されている。段差部５１１において外縁が冷却器５４側に押圧された状態となっているとともに、絶縁基板１は第２の面が凸形状となるように反った状態であるので、絶縁基板１と冷却器５４との間の密着性は良好な状態となっている。
【００２２】
＜半導体装置の製造方法＞
図３は、図１および図２に示した半導体装置の製造方法を示すフローチャートである。図４〜図６は、図３に示した製造方法を説明するための断面模式図である。以下、図３〜図６を参照して、半導体装置の製造方法を説明する。
【００２３】
図３に示すように、まず準備工程（Ｓ１０）を実施する。具体的には、図４に示すように、絶縁基板１の銅配線１１上にはんだ３１とパワー半導体素子３とを重ねて加熱することでダイボンディングを行う。さらに、絶縁基板１の外周を囲むようにケース５１を配置した上で、配線４１となるべきアルミワイヤによって主回路と信号回路がダイボンディングされることでそれぞれ形成される。この段階では絶縁基板はほぼ平坦である。
【００２４】
次に、図３に示すように樹脂封止工程（Ｓ２０）を実施する。具体的には、図５に示すように、ケース５１の内側へダイレクトポッティング封止樹脂６を常温で注型する。そして、加熱部材としてのオーブンで加熱温度：１５０℃、加熱時間：３時間という熱処理を行うことでダイレクトポッティング封止樹脂６を硬化させる。このときダイレクトポッティング封止樹脂６の硬化収縮（たとえば体積％で５％程度の収縮）と、絶縁基板１に対するダイレクトポッティング封止樹脂６の熱膨張係数差によって、絶縁基板１には下に凸の反り（たとえば反り量が０．１ｍｍ程度の反り）が生じる。ここで、絶縁基板１の線膨張係数はたとえば１６ｐｐｍ／Ｋとすることができ、ダイレクトポッティング封止樹脂６の線膨張係数はたとえば１８ｐｐｍ／Ｋとすることができる。
【００２５】
最後に、図３に示すように組立工程（Ｓ３０）を実施する。具体的には、図６に示すように、冷却器５４の上部平坦部の中央に放熱グリス７を塗布し、ケース５１のスリーブ部５３の穴に矢印で示すようにネジ５２を挿入してネジ固定する。この時、ケース５１において絶縁基板１の一部（外縁）を収容する段差部５１１の深さは、絶縁基板１の厚さｔ１（たとえば３ｍｍ）と、絶縁基板１の反り量（たとえば０．１ｍｍ）を合計した３．１ｍｍよりも小さくなるように設定されている。たとえば、段差部５１１の深さを３．０ｍｍとすることができる。
【００２６】
スリーブ部５３は絶縁基板１の外周よりも外側に配置されており、ネジ５２を締め付けることによって絶縁基板１の外周を冷却器５４側へ押さえつけることができる。このため、絶縁基板１の反り方向は下（冷却器５４側）に凸のまま、反りの大きさを０．１ｍｍからほぼフラットまで小さくすることができる。このようにして、図１および図２に示す半導体装置を得ることができる。
【００２７】
また、図７に示すように、ダイレクトポッティング封止樹脂６のもれを防止するために、ケース５１と絶縁基板１の接触部分に接着剤１７を塗布しても同様の効果が得られる。図７は、図１に示した半導体装置の変形例を示す断面模式図である。図７を参照して、半導体装置は、基本的には図１に示した半導体装置と同様の構成を備えるが、ケース５１と絶縁基板１との接触部分に接着剤１７が配置されている点が異なる。接着剤１７は、絶縁基板１の外縁に沿って環状に配置されている。このような接着剤１７を配置することにより、ケース５１と絶縁基板１の外縁とが確実に接続されるので、上述の樹脂封止工程（Ｓ２０）においてケース５１と絶縁基板１との接続部から封止樹脂６が漏れるといった問題の発生確率を低減できる。
【００２８】
また、ここでは絶縁基板１よりも大きな熱膨張係数（線膨張係数）を有するダイレクトポッティング封止樹脂６を用いたが、硬化収縮が十分に大きい場合には、熱膨張係数（線膨張係数）が絶縁基板１と同じかより大きいダイレクトポッティング封止樹脂６でも同様の効果が得られる。
【００２９】
図８は、図１に示した半導体装置の変形例を示す断面模式図である。図８を参照して、半導体装置は、基本的には図１に示した半導体装置と同様の構成を備えるが、ケース５１の段差部５１１の深さおよびケース５１が弾性変形している点が図１に示した半導体装置と異なっている。具体的には、図８に示した半導体装置におけるケース５１の段差部５１１の深さを３．０ｍｍとした。そして、上記組立工程（Ｓ３０）においては、ネジ５２を締め付けることによりケース５１の弾性変形を利用して絶縁基板１を拘束する。このようにすれば、図１に示した半導体装置と同様の効果を得ることができるとともに、絶縁基板１の反りの大きさが若干ばらついた場合でも、弾性変形を利用することで絶縁基板１の確実な固定が可能となる。
【００３０】
（実施の形態２）
図９は本発明の実施の形態２による半導体装置の断面模式図である。
【００３１】
＜半導体装置の構成＞
半導体装置は、基本的には図１に示した半導体装置と同様の構成を備えるが、ネジ５２によりケース５１および絶縁基板１を固定する部分の構成が図１に示した半導体装置とは異なっている。すなわち、ケース５１は、平面視において絶縁基板１の外縁と重なる部分としてのスリーブ部５３を有している。スリーブ部５３の下にまで絶縁基板１の外縁が伸びている。また異なる観点からいえば、図１の半導体装置では段差部５１１がスリーブ部５３より内周側に形成されていたのに対して、図９に示した半導体装置では段差部５１１はスリーブ部５３に形成されている。スリーブ部５３と絶縁基板１の外縁とを貫通するように貫通穴が形成されている。スリーブ部５３および絶縁基板１の外縁を冷却器５４と固定するように、固定部材としてのネジ５２が貫通穴を挿通した状態で固定されている。
【００３２】
絶縁基板１のサイズは、たとえば縦：１１０ｍｍ×横：７０ｍｍ×厚さ：３ｍｍである。絶縁基板１は、図１に示した絶縁基板１と同様に、銅基材１３上にエポキシ絶縁層１２および銅配線１１が形成された多層構造を有している。絶縁基板１の第１の面である表面上にパワー半導体素子３が配置されている。パワー半導体素子３としては、実施の形態１におけるパワー半導体素子３と同様の素子を用いることができる。
【００３３】
パワー半導体素子３は、図１に示した半導体装置と同様に、はんだによって絶縁基板１の銅配線１１上にダイボンディングされている。パワー半導体素子３は、ワイヤボンディングにより形成された配線４１によって、ケース５１の外部信号端子４２および外部主端子４３との間において電気回路を形成している。
【００３４】
ケース５１と絶縁基板１とにより囲まれた領域（ケース５１の内側の領域）には、図１に示した半導体装置と同様にパワー半導体素子３と配線４１を絶縁封止するダイレクトポッティング封止樹脂６が注型されている。ケース５１のスリーブ部５３にはネジ５２を通すための貫通穴が形成されている。また、当該貫通穴と重なる位置において、絶縁基板１にも貫通穴１４が形成されている。ネジ５２により、ケース５１および絶縁基板１は冷却器５４に対して固定されている。冷却器５４の形状や材質などは、図１に示した冷却器５４と同様とすることができる。絶縁基板１と冷却器５４との間には放熱グリス７が供給されている。放熱グリス７としては、図１に示した半導体装置と同様に、たとえばシリコーン樹脂にシリカフィラーが分散したものを用いることができる。
【００３５】
絶縁基板１は、冷却器５４に対向する側の第２の面が凸形状となるように反った状態になっている。また、ケース５１の内周側の底部には、絶縁基板１の外縁を保持するための段差部５１１が形成されている。段差部５１１において外縁が冷却器５４側に押圧された状態となっているとともに、絶縁基板１は第２の面が凸形状となるように反った状態であるので、絶縁基板１と冷却器５４との間の密着性は良好な状態となっている。
【００３６】
ケース５１において絶縁基板１の外縁を収容する段差部５１１の深さは、絶縁基板１の厚さｔ１（３ｍｍ）と、絶縁基板１の反り（０．１ｍｍ）とを合計した値（３．１ｍｍ）よりも小さくなるように設計されている。たとえば、段差部５１１の深さをここでは３．０ｍｍとすることができる。このようにすれば、絶縁基板１の反り方向（冷却器５４側に凸となる方向）は維持したまま、反りの大きさを０．１ｍｍからほぼゼロ（ほぼフラットな形状）まで小さくできる。
【００３７】
図９に示した半導体装置では、図１に示した半導体装置と同様の効果を得られるとともに、絶縁基板１の貫通穴１４を通してケース５１ごとネジ締めすることにより、厚さ方向だけでなく縦横方向にもより強固に絶縁基板１の固定が可能となっている。
【００３８】
また、絶縁基板１における冷却器５４と接する面には、貫通穴１４より外側に、突起１５（たとえば高さ０．１ｍｍ）を形成している。この突起１５が形成されていることにより、ネジ締め部分の絶縁基板１が冷却器５４に密着して絶縁基板１が逆反りする（絶縁基板１の中央部がパワー半導体素子３側に凸形状となるように反ること）を防止する効果が得られる。
【００３９】
＜半導体装置の製造方法＞
図９に示した半導体装置の製造方法は、準備する絶縁基板１やケース５１のサイズや形状などが図１に示した半導体装置とは異なっているが、基本的には図１に示した半導体装置の製造方法と同様である。
【００４０】
なお、上述した各実施の形態では銅基材１３を含む絶縁基板１を用いたが、アルミなど放熱性に優れた金属板を基材とする絶縁基板１であれば同様の効果が得られる。さらに、アルミナ、窒化アルミ、または窒化シリコンなどを基材としたセラミック基板を絶縁基板１として用いても同様の効果が得られる。また、発熱の小さなパワー半導体素子３を用いる場合、ガラスエポキシ基板を絶縁基板１として用いても同様の効果が得られる。さらにこれらの絶縁基板１を銅やアルミなどのヒートシンクに貼り付けたものでも同様の効果が得られる。
【００４１】
また、上述した各実施の形態では配線４１としてアルミワイヤボンディングを用いたが、銅ワイヤボンディングやアルミリボンボンディングを配線４１として用いても同様の効果が得られる。さらにケース５１の外部端子をそのままパワー半導体素子３上に延長したバスバー状の端子をパワー半導体素子３にはんだ付けや超音波接合するような配線形状であっても、同様の効果が得られる。
【００４２】
また、上述した各実施の形態ではケース５１としてＰＰＳ製ケースを用いたが、ポリブチレンテレフタレート（ＰＢＴ）、ナイロン６（ＰＡ６）、ポリエチレンテレフタラート（ＰＥＴ）、ＰＥＴ＋ＰＢＴといった樹脂材料や耐熱性に優れた液晶ポリマーをケース５１の材料として用いても、同様の効果が得られる。また、外部主端子４３として、ナット４４を下部に配置したネジ止め端子を用いたが、他の構成の端子を用いてもよい。たとえば、外部主端子４３として、溶接によってケーブルと接続するようなストレート端子を用いても、同様の効果が得られる。
【００４３】
また、上述した各実施の形態では液状の放熱グリス７を冷却器５４の中央に塗布したが、他の任意の方法で放熱グリス７を所定の位置に配置してもよい。たとえば、放熱グリス７を冷却器５４などに所望のパターンで印刷供給したり、ディスペンサ供給しても同様の効果が得られる。さらに、熱軟化する板状の放熱シートを冷却器５４と絶縁基板１との間に配置して、その後軟化熱処理するといったプロセスを用いても同様の効果が得られる。
【００４４】
また、図１０に示すように、ダイレクトポッティング封止樹脂６のもれを防止するために、ケース５１と絶縁基板１の接触部分に接着剤２７を塗布しても同様の効果が得られる。図１０は、図９に示した半導体装置の変形例を示す断面模式図である。図１０を参照して、半導体装置は、基本的には図９に示した半導体装置と同様の構成を備えるが、ケース５１と絶縁基板１との接触部分に接着剤２７が配置されている点が異なる。接着剤２７は、絶縁基板１の貫通穴１４の内側において絶縁基板１の外縁に沿って環状に配置されている。このような接着剤２７を配置することにより、ケース５１と絶縁基板１の外縁とが確実に接続されるので、上述の樹脂封止工程（Ｓ２０）においてケース５１と絶縁基板１との接続部から封止樹脂６が漏れるといった問題の発生確率を低減できる。
【００４５】
また、ここでは絶縁基板１よりも大きな熱膨張係数（線膨張係数）を有するダイレクトポッティング封止樹脂６を用いたが、硬化収縮が十分に大きい場合には、熱膨張係数（線膨張係数）が絶縁基板１と同じかより大きいダイレクトポッティング封止樹脂６でも同様の効果が得られる。
【００４６】
上述した実施の形態と一部重複する部分もあるが、以下本発明の特徴的な構成を列挙する。
【００４７】
この発明の１実施形態に係る半導体装置は、絶縁基板１と、絶縁基板１の第１の面上に配置された半導体素子（パワー半導体素子３）と、半導体素子を内側に収容するように絶縁基板１と接続されたケース５１と、ケース５１の内側に半導体素子を埋め込むように充填された樹脂（ダイレクトポッティング封止樹脂６）とを備え、絶縁基板１の厚みをｔ１、樹脂（ダイレクトポッティング封止樹脂６）の厚みをｔ２、絶縁基板１の線膨張係数をα１、樹脂の線膨張係数をα２とした場合に、ｔ２≧ｔ１、およびα２≧α１、という関係式を満足し、絶縁基板１は第２の面が凸形状となるように反っている。
【００４８】
このようにすれば、封止のために充填されるダイレクトポッティング封止樹脂６と絶縁基板１との線膨張係数の差によって、ケース５１の内側に樹脂を充填して固化するといった工程を行うことで絶縁基板１の第２の面が凸形状となるように、当該絶縁基板１を反らせることができる。このため、当該樹脂を充填する前段階では絶縁基板１の形状を平坦な形状としておくことが可能である。したがって、樹脂の充填前に行う絶縁基板１に対するパワー半導体素子３のボンディングや配線のためのワイヤボンディングを、平坦な絶縁基板１に対して行うことができる。このため、半導体素子のボンディングなどの作業性を良好なものとし、作業不良の発生確率を低減して信頼性の高い半導体装置を得ることができる。
【００４９】
また、樹脂の充填・固化によって絶縁基板の第２の面が凸形状となるように当該絶縁基板を反らせているので、たとえば絶縁基板１の第１の面と反対側の第２の面に冷却部材（冷却器５４）を接続する場合に、冷却部材と絶縁基板の第２の面との間で（たとえば第２の面の中央部などで）空隙が発生することを防止できる。
【００５０】
さらに、樹脂および絶縁基板の線膨張係数および厚みを制御することで、結果的に絶縁基板の反りの方向と反り量を再現性良く制御することができる。
【００５１】
上記半導体装置において、ケース５１は、図１に示すように、平面視において絶縁基板１の外縁と重なる部分（図１のケース５１において段差部５１１が形成された部分）と、当該重なる部分から絶縁基板１の外縁より外側に延在する部分（図１のスリーブ部５３）とを有していてもよい。ケース５１の上記延在する部分を半導体装置の外部に位置する外部部材の一例である冷却部材（冷却器５４）と固定する固定部材（ネジ５２）をさらに備えていてもよい。重なる部分には、絶縁基板１の外縁を収容する段差部５１１が形成されていてもよい。段差部５１１の深さは、絶縁基板１の厚みｔ１と、絶縁基板１の外縁をケース５１の段差部５１１により押圧していない状態における絶縁基板１の反り量との合計値より小さくてもよい。
【００５２】
この場合、ケース５１の段差部５１１により絶縁基板１の外縁を押圧することで、当該絶縁基板１を確実に保持できるとともに、段差部５１１により保持された状態での絶縁基板１の反り量を正確に決定することができる。
【００５３】
上記半導体装置において、ケース５１は、図８に示すように、上記重なる部分と外部部材（冷却器５４）との間に絶縁基板１の外縁を挟んだ状態で固定部材（ネジ５２）を用いて外部部材に固定されることにより、弾性変形していてもよい。
【００５４】
この場合、絶縁基板１の外縁部をケース５１により押圧する前段階での絶縁基板１の反りが大きいときであっても、ケース５１が弾性変形することにより当該絶縁基板１の大きな反りを吸収し、絶縁基板１を外部部材（冷却器５４）に確実に固定することができる。
【００５５】
上記半導体装置において、ケース５１は、図９に示すように平面視において絶縁基板１の外縁と重なる部分（図９において段差部５１１が形成された部分）を有していてもよい。ケース５１の上記重なる部分と絶縁基板１の外縁とを貫通する貫通穴（図９のケース５１の穴および絶縁基板１の貫通穴１４）が形成されていてもよい。重なる部分および絶縁基板１の外縁を半導体装置の外部に位置する外部部材（冷却器５４）と固定するように、貫通穴を挿通した状態で配置された固定部材（ネジ５２）をさらに備えていてもよい。
【００５６】
この場合、固定部材（ネジ５２）によりケース５１と共に絶縁基板１も外部部材（冷却器５４）へと確実に固定することができる。
【００５７】
この発明の１実施形態に係る半導体装置の製造方法は、絶縁基板１の第１の面上に半導体素子（パワー半導体素子３）を配置するとともに、半導体素子を内部に収容するように絶縁基板１と接続されたケース５１を準備する工程（準備工程（Ｓ１０））と、ケース５１の内部に半導体素子（パワー半導体素子３）を埋め込むように樹脂（ダイレクトポッティング封止樹脂６）を充填する工程（樹脂封止工程（Ｓ２０））とを備える。絶縁基板１の厚みをｔ１、樹脂の厚みをｔ２、絶縁基板１の線膨張係数をα１、樹脂の線膨張係数をα２とした場合に、ｔ２≧ｔ１、およびα２≧α１、という関係式を満足し、樹脂を充填する工程（Ｓ２０）の後、絶縁基板１の第２の面が凸形状となるように反っている。また、上記準備する工程（Ｓ１０）では、絶縁基板１は樹脂を充填する工程の後の反り量より小さな反り量を有する（好ましくは平坦な形状となっている）ことが好ましい。
【００５８】
このようにすれば、封止のために充填される樹脂（ダイレクトポッティング封止樹脂６）と絶縁基板１との線膨張係数の差によって、ケース５１の内側に樹脂を充填する工程（Ｓ２０）を行うことで絶縁基板１の第２の面が凸形状となるように、当該絶縁基板１を反らせることができる。このため、当該樹脂を充填する前段階の上記準備する工程（Ｓ１０）では、絶縁基板１の形状を平坦な形状としておくことが可能である。したがって、準備する工程（Ｓ１０）での作業（たとえば絶縁基板１に対するパワー半導体素子３のボンディングや配線のためのワイヤボンディングなどの作業）を、平坦な絶縁基板１に対して行うことができる。このため、上記準備する工程（Ｓ１０）の作業性を良好なものとし、作業不良の発生確率を低減して信頼性の高い半導体装置を得ることができる。
【００５９】
また、樹脂を充填する工程（Ｓ２０）によって絶縁基板１の第２の面が凸形状となるように当該絶縁基板１を反らせているので、冷却部材（冷却器５４）と絶縁基板１の第２の面との間で（たとえば第２の面の中央部などで）空隙が発生することを防止できる。
【００６０】
さらに、樹脂および絶縁基板１の線膨張係数および厚みを制御することで、結果的に絶縁基板１の反りの方向と反り量を再現性良く制御した半導体装置を得ることができる。
【００６１】
上記半導体装置の製造方法は、樹脂を充填する工程（Ｓ２０）の後、絶縁基板１の第１の面と反対側の第２の面を半導体装置の外部に位置する外部部材（冷却部材としての冷却器５４）に接続する工程（組立工程（Ｓ３０））をさらに備えていてもよい。上記半導体装置の製造方法では、準備する工程（Ｓ１０）において、ケース５１は、平面視において絶縁基板１の外縁と重なる部分（図１において段差部５１１が形成された部分）と、重なる部分から絶縁基板１の外縁より外側に延在する部分（スリーブ部５３）とを有していてもよい。重なる部分には、絶縁基板１の外縁を収容する段差部５１１が形成されていてもよい。段差部５１１の深さは、絶縁基板１の厚みｔ１と、絶縁基板１の外縁をケース５１の段差部５１１により押圧していない状態における絶縁基板１の反り量との合計値より小さくてもよい。接続する工程（Ｓ３０）では、固定部材（ネジ５２）を用いてケース５１の延在する部分を外部部材（冷却器５４）に固定してもよい。
【００６２】
この場合、接続する工程（Ｓ３０）において、ケース５１の段差部５１１により絶縁基板１の外縁を押圧することで、当該絶縁基板１を確実に保持できるとともに、段差部５１１により保持された状態での絶縁基板１の反り量を正確に決定することができる。
【００６３】
上記半導体装置の製造方法では、接続する工程（Ｓ３０）において、ケース５１は、重なる部分と外部部材（冷却器５４）との間に絶縁基板１の外縁を挟んだ状態で固定部材（ネジ５２）を用いて外部部材に固定されることにより、弾性変形してもよい。
【００６４】
この場合、樹脂を充填する工程（Ｓ２０）において反った絶縁基板１の反りが大きいときであっても、ケース５１が弾性変形することにより当該絶縁基板１の大きな反りを吸収し、絶縁基板１を外部部材に確実に固定することができる。
【００６５】
上記半導体装置の製造方法は、樹脂を充填する工程（Ｓ２０）の後、絶縁基板１の第１の面と反対側の第２の面を半導体装置の外部に位置する外部部材（冷却部材としての冷却器５４）に接続する工程（組立工程（Ｓ３０））をさらに備えていてもよい。上記半導体装置の製造方法では、準備する工程（Ｓ１０）において、ケース５１は、平面視において絶縁基板１の外縁と重なる部分（図９における段差部５１１が形成された部分）を有していてもよい。ケース５１の重なる部分と絶縁基板１の外縁とを貫通する貫通穴（ケース５１の貫通穴＋絶縁基板１の貫通穴１４）が形成されていてもよい。接続する工程（Ｓ３０）において、重なる部分および絶縁基板１の外縁を外部部材に固定するように、貫通穴を挿通した状態で固定部材（ネジ５２）を配置する。
【００６６】
この場合、接続する工程（Ｓ３０）において固定部材（ネジ５２）によりケース５１と共に絶縁基板１も外部部材（冷却器５４）へと確実に固定することができる。
【００６７】
以上のように本発明の実施の形態について説明を行なったが、今回開示した実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００６８】
この発明は、特にパワー半導体素子を用いた半導体装置に有利に適用される。
【符号の説明】
【００６９】
１  絶縁基板、３  パワー半導体素子、６  ダイレクトポッティング封止樹脂、７  放熱グリス、１１  銅配線層、１２  エポキシ絶縁層、１３  銅基材、１４  貫通穴、１５  突起、１７，２７  接着剤、４１  配線、４２  外部信号端子、４３  外部主端子、４４  ナット、５１  ケース、５２  ネジ、５３  スリーブ部、５４  冷却器、５１１  段差。 
【図１】
2020115568.tif 000003
【図２】
2020115568.tif 000004
【図３】
2020115568.tif 000005
【図４】
2020115568.tif 000006
【図５】
2020115568.tif 000007
【図６】
2020115568.tif 000008
【図７】
2020115568.tif 000009
【図８】
2020115568.tif 000010
【図９】
2020115568.tif 000011
【図１０】
2020115568.tif 000012